(57)【要約】【課題】エレベータ発進前にドアに紐などの細い異物が挟まれたままエレベータが発進することを防ぐ。【解決手段】かご側ドアが閉じ始めてからエレベータが発進するまでに戸開方向に押すとドアが反転して戸開するドアセフティシューと、このドアセフティシューに閉端で接する異物検出用部材を設ける。【効果】ドアに挟まれた紐などの細い異物がドアセフティシューと異物検出用部材に挟まれると、異物がドアセフティシューを戸開方向に押してドアセフティシューが異物を検出し、ドアが開き、異物が挟まれたままエレベータが発進することが防止できる。【選択図】  図１
2004323189.tif 000002
【特許請求の範囲】
【請求項１】
エレベータのかご側ドアに設けられ、前記かご側ドアが閉じ始めてからエレベータが発進するまでに戸開方向に押すとドアが反転して戸開するドアセフティシューと、
前記ドアセフティシューに閉端で接する異物検出用部材と、
を備えるエレベータ用ドア装置。
【請求項２】
請求項１において、前記異物検出用部材が、前記ドアセフティシューに閉端で接する弾性体を有するエレベータ用ドア装置。
【請求項３】
請求項２において、前記弾性体が異物検出板に設けられるエレベータ用ドア装置。
【請求項４】
請求項２において、前記弾性体が戸当たり柱に設けられるエレベータ用ドア装置。
【請求項５】
請求項１〜４のいずれか１項において、前記ドアセフティシューの下端に弾性体または摺動材を設けたエレベータ用ドア装置。
【請求項６】
請求項１において、前記ドアセフティシューにおける前記異物検出用部材と接する部分が別の部材であるエレベータ用ドア装置。
【発明の詳細な説明】
【０００１】
【発明の属する技術分野】
本発明は、エレベータ用ドア装置に関する。
【０００２】
【従来の技術】
一般に、エレベータのかご側ドアはゴミ詰まりなどの影響を考慮して、閉端より手前でドア閉じを検出するスイッチを設けている。また、ドアは閉端において戸閉力を有しているため、多少の異物であれば異物を圧縮してドア閉じを検出することがある。このため、紐のような細い異物が挟まれた場合には、これを検出できずにドア閉じと判断し、エレベータが発進することがある。
【０００３】
これを防止する従来技術としては、エレベータが発進した後、紐が引っ張られてドアセフティシューが動作し、エレベータを停止する手段がある（例えば、特許文献１参照。）。あるいは、ドアセフティの先端に回転体を設けて、紐が挟まれた時、紐を引っ張ると回転体が回転し、異物挟み込みを検出してエレベータを停止したり、発進を中止したりするエレベータ用ドア装置がある（例えば、特許文献２参照。）。
【０００４】
【特許文献１】
特開平７−３３３５４号公報
【特許文献２】
特開平５−３１０３９０号公報
【０００５】
【発明が解決しようとする課題】
上記の従来技術においては、紐が引っ張られずに挟まれている場合、エレベータ発進後でないと紐が挟まれたことを検出できない。エレベータ発進後に紐の挟まれを検出してエレベータを停止した場合、紐を検出してからエレベータが停止するまでに時間がかかる。
【０００６】
本発明の課題は、エレベータ発進前にドアに挟まれた紐などの細い異物を検出して、紐が挟まれたままエレベータが発進することを防ぐことにある。
【０００７】
【課題を解決するための手段】
上記課題を解決するために、かご側ドアが閉じ始めてからエレベータが発進するまでに戸開方向に押すとドアが反転して戸開するドアセフティシューと、このドアセフティシューに閉端で接する異物検出用部材を設ける。
【０００８】
ドアに挟まれた紐などの細い異物がドアセフティシューと異物検出用部材に挟まれると、異物がドアセフティシューを戸開方向に押してドアセフティシューが異物を検出する。これにより、ドアが開き、異物が挟まれたままエレベータが発進することが防止できる。
【０００９】
【発明の実施の形態】
図１は本発明の一実施例であるエレベータ用ドア装置の正面図、図２は図１のＡ部拡大斜視図、図３は図１の上面図、図４は図１の実施例において、紐を挟んだときの状態を示す。図５〜図７は本発明の別の実施例を示す上面図である。なお、図１，図２において、ドアセフティシュー５の先端形状は簡略化して記す。
【００１０】
図１〜図４は中央両開きドアでドアセフティが片側にのみついている場合の本発明の実施例を示している。１ａ，１ｂはエレベータのかごの入口に設けられるかご側ドアを示す。このかご側ドア１ａ，１ｂの上部にはハンガローラ３ａ〜３ｄを備えたかごドアハンガ２ａ，２ｂが設けられている。かごドアハンガ２ａ，２ｂは、ハンガローラ３ａ〜３ｄによりレール４上を水平移動可能に構成されている。かご側ドア１ａには、上レバー６，下レバー７，ドアセフティスイッチ８，上ブラケット９，下ブラケット１０，ストッパ１１及び本体であるドアセフティシュー５を有するドアセフティが取り付けられている。一方、かご側ドア１ｂには、異物検出用部材として、閉端でドアセフティシュー５に接するように設けられた弾性体１３と、摺動材１４を有する異物検出板１２が設けられている。
【００１１】
ドアセフティシュー５は、ドアに回転支持されたレバー６，７とこのレバーに回転支持されたブラケット９，１０により、異物などを挟み込んだ場合、紙面に向かって左側にドアセフティシュー５が押され、ドアセフティスイッチ８が異物を検出する。
【００１２】
図２の１６はドアストッパを示しており、このドアストッパ１６の厚みだけ閉端においてもかご側ドア１ａと１ｂの間には隙間が生じる。
【００１３】
本実施例によれば、紐などの細い異物を挟み込んだ場合、図４に示すように、紐１７はドアストッパ１６により出来たドア１ａ，１ｂの隙間に入り込むが、弾性体１３とドアセフティシュー５の間はドアの高さ方向に連続的に接触しているので、紐１７によりドアセフティシュー５は紙面に向かって左側に移動され、ドアセフティスイッチ８が異物の挟み込みを検出する。
【００１４】
紐がドアセフティシュー５の下側に入り込むのを防止するため、ストッパ１１の下面とシル（敷居）１５の上面の間の距離を極力小さくしたとき、ドアセフティシュー５が動作して戻るときの反動で、ストッパ１１の下面とシル１５の上面の衝突音が発生しないように、ストッパ１１はゴムなどの弾性体で構成されている。
【００１５】
さらにブラケット９，１０に対して、ドアセフティシュー５が上下に調整可能に固定できる構造としており（例えば、長穴のねじ穴を利用）、シル１５との隙間が調整しやすい。
【００１６】
一方、異物検出板１２も、かご側ドア１ｂに対して上下左右に調整して固定できる構造としており（例えば、十字状のねじ穴を利用）、下端に摺動材１４を設けているので、ドア開閉の際にシル１５の上面と摺動しても摺動音が増大しない。
【００１７】
図５は中央両開きドアで両側ドアともドアセフティシューを有している場合の実施例を示す。両側にドアセフティシューをつけた場合、片側のドア１ｂに設けられたドアセフティシュー５ｂは、もう一方のドア１ａに設けられたドアセフティシュー５ａと閉端でぶつからないように、ドアセフティシュー５ｂを戸開き方向に移動させる。このような構成のドア装置において本発明を適用する場合、閉端で開き方向に移動しない方のドアセフティシュー５ａに対向して、閉端でドアセフティシュー５ａにぶつかり接触するように、弾性体１３を有する異物検出板１２をドア１ｂに設ける。このように構成されたドア装置において、紐を挟みこんだ場合、ドアセフティシュー５ａは開き方向に移動して、ドアセフティスイッチ８が異物挟み込みを検出する。
【００１８】
図６は図５において、ドアセフティシュー５ａに弾性体１３と接する別の部材であるドアセフティシューブロック１８を設けた構成である。このように、ドアセフティシュー５ａと弾性体１３に接するドアセフティシューブロック１８を分割することにより、ドアセフティシュー５ａ自体を上下に調整しなくても、ドアセフティシューブロック１８を上下に調整すればよくなるため、調整が容易になる。
【００１９】
図７は片開きドアに本発明を適用したときの実施例を示す。片開きドアの場合、先頭のドア１に取り付けたドアセフティシュー５が、戸当り柱１９にとりつけた異物検出用部材である弾性体１３と閉端で接触するように構成することで、紐を挟みこんだ場合、ドアセフティシュー５ａは開き方向に移動してドアセフティスイッチ８が異物挟み込みを検出する。なお、弾性体１３を用いず、ドアセフティシュー５が直接、戸当り柱１９に接触するようにしてもよい。
【００２０】
なお、上記各実施例では弾性体１３は全てドアセフティシュー５，ドアセフティシューブロック１８に対向する異物検出板１２、または戸当り柱１９に取り付けた構成で説明したが、ドアセフティシュー５、またはドアセフティシューブロック１８に弾性体１３を取り付けても同様の効果が得られる。
【００２１】
【発明の効果】
以上説明したように、本発明によれば、紐などの細い異物がドアに挟まれたままエレベータが発進することを防ぐことができる。
【図面の簡単な説明】
【図１】本発明の一実施例であるエレベータ用ドア装置の全体正面図である。
【図２】図１のＡ部拡大斜視図である。
【図３】図１の上面図である。
【図４】図３において、紐が挟まれた時の上面図である。
【図５】本発明の別の実施例の上面図である。
【図６】本発明の別の実施例の上面図である。
【図７】本発明の別の実施例の上面図である。
【符号の説明】
１ａ，１ｂ…かご側ドア、２ａ，２ｂ…ハンガ、５…ドアセフティシュー、８…ドアセフティスイッチ、１１…ストッパ、１２…異物検出板、１３…弾性体、１４…摺動材、１５…シル、１６…ドアストッパ、１７…紐、１８…ドアセフティシューブロック、１９…戸当り柱。
【図１】
2004323189.tif 000003
【図２】
2004323189.tif 000004
【図３】
2004323189.tif 000005
【図４】
2004323189.tif 000006
【図５】
2004323189.tif 000007
【図６】
2004323189.tif 000008
【図７】
2004323189.tif 000009